(57)【要約】【課題】容器の周囲にスペースを必要とせず、容器に対して確実に固定可能な放水器具を提供する。【解決手段】放水器具(500)は、放水口(511)を有する上体部(510)と、保持部(520)と、前記放水口からの放水を開始または停止させるオンオフハンドル(530)と、付勢部材と、からなる。オンオフハンドルは回転中心点(531)を有しており、回転中心点の一方の側にはユーザーがオンオフハンドルを保持して回動させる把手部(532)が延び、回転中心点の他方の側にはグリップ部(533)が延びている。オンオフハンドルは第一位置と第二位置との間を回動可能であり、オンオフハンドルが第一位置に位置するときに放水口からの放水が停止され、オンオフハンドルが第二位置に位置するときには、放水口から放水が行われ、付勢部材は、オンオフハンドルが第一位置に位置するようにオンオフハンドルを付勢する。【選択図】図１
0003157313.tif 000002
【実用新案登録請求の範囲】
【請求項１】
放水口が形成されている上体部と、前記上体部と連続して形成されている保持部と、前記放水口からの放水を開始または停止させるオンオフハンドルと、付勢部材と、からなる放水器具であって、
前記保持部には、水源に接続されているホースが接続されるホース接続部が形成されており、
前記オンオフハンドルは回転中心点を有しており、前記回転中心点の一方の側にはユーザーが前記オンオフハンドルを保持して回動させる把手部が延び、前記回転中心点の他方の側にはグリップ部が延びており、
前記オンオフハンドルは前記上体部及び前記保持部を含む平面内において回動可能であるように前記回転中心点において前記保持部に支持されており、
前記オンオフハンドルは、前記把手部が前記保持部から離れ、かつ、前記グリップ部が前記上体部に対向する第一位置と、前記把手部が前記保持部に接し、かつ、前記グリップ部が前記上体部から離れ、前記グリップ部の先端と前記上体部との間にギャップが形成される第二位置との間を回動可能であり、
前記オンオフハンドルが前記第一位置に位置するときに前記放水口からの放水が停止され、前記オンオフハンドルが前記第二位置に位置するときには、前記放水口から放水が行われ、
前記付勢部材は、前記オンオフハンドルが前記第一位置に位置するように、前記オンオフハンドルを付勢するものである放水器具。
【請求項２】
前記オンオフハンドルを前記第二位置に維持するストッパー部材をさらに備えている請求項１に記載の放水器具。
【請求項３】
前記ストッパー部材は、前記上体部及び前記保持部の何れか一方に、一点を中心として回動可能であるように取り付けられており、前記オンオフハンドルが前記第二位置にあるときに前記ストッパー部材の先端が前記オンオフハンドルに係合し、前記オンオフハンドルの回動を停止させる停止位置と、前記ストッパー部材の先端が前記オンオフハンドルに係合しない回動自由位置との間を回動可能であることを特徴とする請求項２に記載の放水器具。
【考案の詳細な説明】
【技術分野】
【０００１】
本考案は、放水時に、ホースの先端に取り付けて放水させる放水器具に関する。
【背景技術】
【０００２】
このような放水器具の一つとして実用新案登録第３１３３２６４号公報に記載されたものがある。
【０００３】
図６は、同公報に記載されている第一の形態の放水器具１００の使用状況を示す概略図である。
【０００４】
放水器具１００は、上体部１２０と、上体部１２０と連続して形成されている保持部１４０と、から形成されている。
【０００５】
上体部１２０の先端には放水口１２１が形成されている。保持部１４０には、放水口１２１からの放水を開始または停止させる放水開始・停止ボタン１４１が設けられている。放水開始・停止ボタン１４１を押し続けることにより、放水口１２１から水が放水され、放水開始・停止ボタン１４１から手を離すと、内臓されているバネの力により、放水開始・停止ボタン１４１は当初の位置（図６に示す位置）に復帰し、放水口１２１からの水の放水は停止する。
【０００６】
保持部１４０には、放水器具１００にホース１３０を接続するためのホース接続部１４２が形成されている。放水器具１００は、ホース接続部１４２を介して、水源（例えば、水道の蛇口）に接続され、水源から供給された水はホース１３０を介して放水器具１００に到達する。
【０００７】
保持部１４０には、上体部１２０と放水開始・停止ボタン１４１との間において、矩形形状の放水器具固定用フランジ１４３が形成されている。放水器具固定用フランジ１４３は、上体部１２０から離れて、すなわち、上体部１２０との間に間隔を空けて、上体部１２０と平行に、さらに、上体部１２０が延びる方向と同一の方向に延びている。放水器具固定用フランジ１４３は保持部１４０と一体的に形成されている。
【０００８】
放水器具１００を容器１５０に対して固定する場合には、上体部１２０と放水器具固定用フランジ１４３との間に形成される空間内に縁部１５１を差し込む。この結果、図６に示すように、放水器具１００は、放水口１２１が容器１５０の中に向けられた状態で、図６に示すような位置に固定される。
【０００９】
以上のように、放水器具１００によれば、ユーザーは、放水器具１００を容器１５０に対して固定し続ける必要性はなく、図６に示すように、放水器具１００を容器１５０の縁部１５１に係合させておけば、放水口１２１から放水される水は自動的に容器１５０の中に貯められる。
【００１０】
図７は、上記公報に記載されている第二の形態の放水器具２００の使用状況を示す概略図である。
【００１１】
放水器具２００においては、放水器具固定用フランジ２１０は、図７に示すように、上体部１２０に形成されている。放水器具固定用フランジ２１０は、保持部１４０が上体部１２０から延びる方向とは反対方向に上体部１２０から延びる第一部分２１１と、第一部分２１１から上体部１２０と平行に、かつ、上体部１２０が延びる方向に延びる第二部分２１２と、から構成されている。
【００１２】
放水器具２００を容器１５０に対して固定する場合には、上体部１２０と放水器具固定用フランジ２１０の第二部分２１２との間に形成される空間内に縁部１５１を差し込む。これにより、放水器具２００は、放水口１２１が容器１５０の中に向けられた状態で、図７に示すような位置に固定される。
【考案の開示】
【考案が解決しようとする課題】
【００１３】
しかしながら、図６及び図７に示した従来の放水器具１００、２００には次のような欠点があった。
【００１４】
図６に示した放水器具１００を使用する場合、放水器具１００そのもの、あるいは、放水器具１００に接続されているホース１３０が容器１５０の周囲に広がるため、容器１５０の周囲に十分なスペースがないような場合には、放水器具１００を使用することができないという問題点があった。
【００１５】
また、図７に示した放水器具２００は、放水器具２００の自重を利用して、単に容器１５０の縁部１５１に引っ掛けているだけであるので、放水の勢いが強いときには、放水器具２００がぐらつき、容器１５０に対して十分に固定できないという問題点があった。
【００１６】
本考案は以上のような従来の放水器具における問題点に鑑みてなされたものであり、容器の周囲にスペースを必要とすることなく、かつ、容器に対して確実に固定することができる放水器具を提供することを目的とする。
【課題を解決するための手段】
【００１７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１８】
上記の目的を達成するため、本考案は、放水口（５１１）が形成されている上体部（５１０）と、前記上体部５１０）と連続して形成されている保持部（５２０）と、前記放水口（５１１）からの放水を開始または停止させるオンオフハンドル（５３０）と、付勢部材と、からなる放水器具（５００）であって、前記保持部（５２０）には、水源に接続されているホース（５４０）が接続されるホース接続部（５２１）が形成されており、前記オンオフハンドル（５３０）は回転中心点（５３１）を有しており、前記回転中心点（５３１）の一方の側にはユーザーが前記オンオフハンドル（５３０）を保持して回動させる把手部（５３２）が延び、前記回転中心点（５３１）の他方の側にはグリップ部（５３３）が延びており、前記オンオフハンドル（５３０）は前記上体部（５１０）及び前記保持部（５２０）を含む平面内において回動可能であるように前記回転中心点（５３１）において前記保持部（５２０）に支持されており、前記オンオフハンドル（５３０）は、前記把手部（５３２）が前記保持部（５２０）から離れ、かつ、前記グリップ部（５３３）が前記上体部（５１０）に対向する第一位置と、前記把手部（５３２）が前記保持部（５２０）に接し、かつ、前記グリップ部（５３３）が前記上体部（５１０）から離れ、前記グリップ部（５３３）の先端と前記上体部（５１０）との間にギャップが形成される第二位置との間を回動可能であり、前記オンオフハンドル（５３０）が前記第一位置に位置するときに前記放水口（５１１）からの放水が停止され、前記オンオフハンドル（５３０）が前記第二位置に位置するときには、前記放水口（５１１）から放水が行われ、前記付勢部材は、前記オンオフハンドル（５３０）が前記第一位置に位置するように、前記オンオフハンドル（５３０）を付勢するものである放水器具（５００）を提供する。
【００１９】
本考案に係る放水器具（６００）は、前記オンオフハンドル（５３０）を前記第二位置に維持するストッパー部材（６１０）をさらに備えることができる。
【００２０】
前記ストッパー部材（６１０）は、例えば、前記上体部（５１０）及び前記保持部（５２０）の何れか一方に、一点を中心として回動可能であるように取り付けられており、前記オンオフハンドル（５３０）が前記第二位置にあるときに前記ストッパー部材（６１０）の先端が前記オンオフハンドル（５３０）に係合し、前記オンオフハンドル（５３０）の回動を停止させる停止位置と、前記ストッパー部材（６１０）の先端が前記オンオフハンドル（５３０）に係合しない回動自由位置との間を回動可能であるように構成することができる。
【考案の効果】
【００２１】
図６に示した従来の放水器具１００においては、容器の周囲に放水器具１００のためのスペースを必要としていたが、本考案に係る放水器具はその大部分が容器の内部に配置された状態で放水を行うことが可能になる。このため、容器の周囲に放水器具用のスペースを確保することなく、本考案に係る放水器具を使用することができる。
【００２２】
また、図７に示した従来の放水器具２００においては、放水器具２００を容器に対して確実に固定することが困難であったが、本考案に係る放水器具においては、付勢部材の弾性力により、オンオフハンドルは、上体部との間において、容器の側壁を挟んだ状態になる。このため、本考案に係る放水器具は容器に対して確実に固定することができ、ユーザーが放水器具を容器に対して保持したり、あるいは、放水器具が容器から外れないように監視する必要性がない。
【００２３】
さらに、本考案に係る放水器具がストッパー部材を備える場合には、ストッパー部材をその停止位置に移行させることにより、オンオフハンドルを第二位置に維持させておくことが可能になる。このため、放水器具を容器の側壁に差し込むことが容易になる。
【図面の簡単な説明】
【００２４】
【図１】本考案の第一の実施形態に係る放水器具の平面図である。
【図２】本考案の第一の実施形態に係る放水器具の平面図である。
【図３】図３（Ａ）及び図３（Ｂ）は放水口からの放水を開始または停止させる放水開始・停止機構の概略を示す部分的な断面図である。
【図４】本考案の第一の実施形態に係る放水器具の使用状況を示す概略図である。
【図５】本考案の第二の実施形態に係る放水器具の平面図である。
【図６】従来の放水器具の概略図である。
【図７】従来の放水器具の概略図である。
【考案を実施するための最良の形態】
【００２５】
（第一の実施形態）
図１及び図２は本考案の第一の実施形態に係る放水器具５００の平面図である。
【００２６】
図１及び図２に示すように、本実施形態に係る放水器具５００は、放水口５１１が形成されている上体部５１０と、上体部５１０と連続して形成されている保持部５２０と、放水口５１１からの放水を開始または停止させるオンオフハンドル５３０と、付勢部材（図示せず）と、から構成されている。
【００２７】
保持部５２０はユーザーが放水器具５００を保持するための把手を形成している部位である。
【００２８】
保持部５２０は、上体部５１０に対して、鈍角をなすように形成されている。
【００２９】
放水口５１１は上体部５１０の先端に形成されている。後述する水源から供給された水は放水器具５００の内部を通って放水口５１１から外部に放水される。
【００３０】
保持部５２０には、放水器具５００にホース５４０を接続するためのホース接続部５２１が形成されている。放水器具５００は、ホース接続部５２１においてホース５４０を介して水源（例えば、水道の蛇口）に接続され、水源から供給された水はホース５４０を介して放水器具５００に到達する。
【００３１】
保持部５２０には外側に突出する突出部５２２が形成されており、オンオフハンドル５３０は突出部５２２において保持部５２０に回動可能に取り付けられている。具体的には、オンオフハンドル５３０は回転中心点５３１を有しており、オンオフハンドル５３０は回転中心点５３１において上体部５１０及び保持部５２０を含む平面内において回動可能であるように保持部５２０に取り付けられている。
【００３２】
オンオフハンドル５３０の回転中心点５３１の一方の側（ホース接続部５２１に向かう側）には、ユーザーがオンオフハンドル５３０を掴み、オンオフハンドル５３０を回動させる把手部５３２が延びており、回転中心点５３１の他方の側（上体部５１０に向かう側）には、グリップ部５３３が延びている。
【００３３】
グリップ部５３３の先端は上体部５１０に向かって屈曲し、上体部５１０と接するフック５３４を形成している。
【００３４】
上体部５１０の上面側にはフック５３４と接するためのブリッジ５１２が形成されており、フック５３４はブリッジ５１２において上体部５１０と接する。
【００３５】
オンオフハンドル５３０は、回転中心点５３１の回りに、図１に示す第一位置と、図２に示す第二位置との間を回動する。
【００３６】
図１に示す第一位置においては、把手部５３２が保持部５２０から離れており、かつ、グリップ部５３３の先端のフック５３４が上体部５１０のブリッジ５１２に接する。
【００３７】
これに対して、図２に示す第二位置においては、把手部５３２が保持部５２０に接し、かつ、グリップ部５３３の先端のフック５３４が上体部５１０のブリッジ５１２から離れ、グリップ部５３３の先端のフック５３４と上体部５１０のブリッジ５１２との間にギャップが形成される。
【００３８】
本実施形態における付勢部材は渦巻きバネからなり、この渦巻きバネ（図示せず）はオンオフハンドル５３０の内部に配置されている。この渦巻きバネの一端はオンオフハンドル５３０の内壁に係止し、他端は保持部５２０（例えば、突出部５２２）に係止しており、オンオフハンドル５３０と保持部５２０との間において弾性力を発揮する。渦巻きバネは、オンオフハンドル５３０が常に第一位置に位置するように、オンオフハンドル５３０を付勢している。
【００３９】
このため、常態においては、オンオフハンドル５３０は図１に示す第一位置に位置しており、ユーザーが把手部５３２を持って回転中心点５３１を中心としてオンオフハンドル５３０を回動させた場合にのみ、図２に示す第二位置に移行する。
【００４０】
前述のように、オンオフハンドル５３０は放水口５１１からの放水を開始または停止させる機能を有しており、この機能は放水開始・停止機構により実現される。
【００４１】
図３（Ａ）及び図３（Ｂ）は放水口５１１からの放水を開始または停止させる放水開始・停止機構の概略を示す部分的な断面図である。
【００４２】
図３（Ａ）及び図３（Ｂ）に示すように、上体部５１０の内部には水が通過する第一通水路５１３と、第一通水路５１３と連続する第二通水路５１４とが形成されている。第二通水路５１４の内径は第一通水路５１３の内径よりも小さい。
【００４３】
第二通水路５１４は放水口５１１に連通しており、第一通水路５１３は、保持部５２０の内部に形成されている第三通水路５２３に連通している。
【００４４】
水源からホース５４０を介して放水器具５００に送り込まれて来た水は第三通水路５２３、第一通水路５１３、第二通水路５１４の順に通過して放水口５１１から放水される。
【００４５】
放水開始・停止機構は、ロッド５５１と、ロッド５５１の一端（上体部５１０の内部に位置する端部）に取り付けられた円板状の開閉部材５５２と、ロッド５５１の他端（放水器具５００の外側に位置する端部）に取り付けられた係合部材５５３と、スプリング５５４と、から構成されている。
【００４６】
ロッド５５１は、上体部５１０の壁部５１５の内部をスライド可能に配置されており、一端は上体部５１０の内部に位置し、他端は放水器具５００の外部に位置している。
【００４７】
開閉部材５５２は第一通水路５１３の内径よりも小さく、かつ、第二通水路５１４の内径よりも大きい外径を有している。
【００４８】
係合部材５５３はオンオフハンドル５３０の外側の面に接している。
【００４９】
スプリング５５４は、上体部５１０の内部において、開閉部材５５２と上体部５１０の壁部５１５との間においてロッド５５１の周囲に巻かれており、開閉部材５５２が常に第二通水路５１４を塞ぐように開閉部材５５２を付勢している。
【００５０】
オンオフハンドル５３０が第一位置に位置している場合には、図３（Ａ）に示すように、開閉部材５５２は第二通水路５１４を塞いでいる。このため、水が放水口５１１から放水されることはない。
【００５１】
オンオフハンドル５３０が第一位置から第二位置に回動すると、図３（Ｂ）に示すように、係合部材５５３がオンオフハンドル５３０の回動に伴い外側（図３（Ｂ）の右側の方向）に引っ張られるため、ロッド５５１及び開閉部材５５２はスプリング５５４の弾性力に抗して図３（Ｂ）の右側に移動する。この結果、開閉部材５５２が第二通水路５１４を塞いでいた状態が解消され、水が放水口５１１から放水される。
【００５２】
このように、オンオフハンドル５３０が第一位置に位置している場合には、水が放水口５１１から放水されることはなく、オンオフハンドル５３０が第二位置に移行すると、水が放水口５１１から放水される。
【００５３】
以上のような構造を有する本実施形態に係る放水器具５００は以下のようにして使用される。
【００５４】
図４は本実施形態に係る放水器具５００の使用状況を示す概略図である。
【００５５】
常態においては、オンオフハンドル５３０は図１に示す第一位置にあり、この状態においては、水が放水口５１１から放水されることはない。
【００５６】
放水を開始するときには、図４に示すように、放水口５１１を容器７００の中に入れた状態において、オンオフハンドル５３０を第一位置から第二位置に回動させる。これにより、水が放水口５１１から放水される。
【００５７】
オンオフハンドル５３０が第二位置に位置している場合には、グリップ部５３３の先端のフック５３４と上体部５１０のブリッジ５１２との間にギャップが形成されている。
【００５８】
放水が開始された後、このギャップで容器７００の側壁を挟み込む。オンオフハンドル５３０には、渦巻きバネの弾性力により、第一位置に復元しようとする力が作用しているため、この力によって、オンオフハンドル５３０は上体部５１０との間において、容器７００の側壁を挟んだ状態になる。
【００５９】
このため、放水器具５００は図４に示す状態に維持され、容器７００の中に水が貯留される。
【００６０】
適量の水が容器７００の中に貯留されると、ユーザーは、オンオフハンドル５３０を第二位置に維持したままの状態で、放水器具５００を容器７００から持ち上げる。次いで、オンオフハンドル５３０から手を放すと、渦巻きバネの作用により、オンオフハンドル５３０は第二位置から第一位置に回動し、放水も停止する。
【００６１】
以上のように、本実施形態に係る放水器具５００によれば、以下の効果を奏する。
【００６２】
従来の放水器具１００においては、容器の周囲に放水器具１００のためのスペースを必要としていたが、本実施形態に係る放水器具５００はその大部分が容器７００の内部に配置された状態で放水が行われるため、容器７００の周囲のスペースを確保する必要なく、放水器具５００を使用することができる。
【００６３】
また、従来の放水器具２００においては、放水器具２００を容器に対して確実に固定することが困難であったが、本実施形態に係る放水器具５００においては、渦巻きバネの弾性力により、オンオフハンドル５３０は上体部５１０との間において、容器７００の側壁を挟んだ状態になる。このため、本実施形態に係る放水器具５００は容器７００に対して確実に固定することができ、ユーザーが放水器具５００を容器７００に対して保持したり、あるいは、放水器具５００が容器７００から外れないように監視する必要性がなくなる。
【００６４】
なお、本実施形態に係る放水器具５００は上記の構造に限定されるものではなく、種々の改変が可能である。
【００６５】
例えば、本実施形態に係る放水器具５００においては、放水開始・停止機構はロッド５５１、開閉部材５５２及び係合部材５５３からなるものとしたが、放水開始・停止機構の構造はこれには限定されない。オンオフハンドル５３０の第一位置と第二位置との間の回動に対して放水の開始及び停止を連動させることができる構造であれば、いかなる構造をも採用することができる。
【００６６】
また、本実施形態に係る放水器具５００においては、グリップ部５３３の先端のフック５３４が上体部５１０のブリッジ５１２に接することにより、オンオフハンドル５３０の回動が停止し、オンオフハンドル５３０が第一位置に位置するように構成されているが、オンオフハンドル５３０の第一位置への停止はフック５３４とブリッジ５１２との間の接触によるものには限定されない。オンオフハンドル５３０の任意の部位が上体部５１０または保持部５２０の任意の部位に接することにより、オンオフハンドル５３０をその第一位置に位置させるように構成することも可能である。
【００６７】
（第二の実施形態）
図５は本考案の第二の実施形態に係る放水器具６００の平面図である。
【００６８】
本実施形態に係る放水器具６００は、第一の実施形態に係る放水器具５００と比較して、オンオフハンドル５３０を第二位置に維持するストッパー部材６１０を追加的に備えている。ストッパー部材６１０を備えている点を除いて、本実施形態に係る放水器具６００は第一の実施形態に係る放水器具５００と同一の構造を有している。このため、第一の実施形態に係る放水器具５００と同一の構成要素に対しては同一の参照符号を用いる。
【００６９】
ストッパー部材６１０は長円形の形状をなす板状の部材である。ストッパー部材６１０はその一端において上体部５１０の後壁（放水口５１１とは反対側に位置する壁部、すなわち、上体部５１０のうち、図５の最も右側に位置する壁部）に対して回動可能に取り付けられている。ストッパー部材６１０の他端は自由端をなしている。
【００７０】
ストッパー部材６１０は、上体部５１０の後壁に対してほぼ直立した位置である停止位置（図５において実線で示す位置）と、上体部５１０の後壁に沿って位置する回動自由位置（図５において破線で示す位置）との間を回動可能である。
【００７１】
図５に示すように、ストッパー部材６１０がその停止位置にある場合には、ストッパー部材６１０は自由端においてオンオフハンドル５３０と係合し、オンオフハンドル５３０の回動を停止させる。すなわち、オンオフハンドル５３０は渦巻きバネの弾性力により常にその第一位置に移行するように付勢されているため、ストッパー部材６１０がオンオフハンドル５３０と係合すると、オンオフハンドル５３０はその第二位置に維持される。
【００７２】
これに対して、ストッパー部材６１０がその回動自由位置にある場合には、ストッパー部材６１０はオンオフハンドル５３０とは係合しない。このため、オンオフハンドル５３０は渦巻きバネの弾性力により第一位置に位置する。
【００７３】
以上のように、本実施形態に係る放水器具６００はストッパー部材６１０を追加的に備えており、ストッパー部材６１０をその停止位置に移行させることにより、オンオフハンドル５３０を第二位置（図２に示す位置）に維持させておくことが可能になる。このため、放水器具６００を容器７００の側壁に差し込むことが容易になる。
【００７４】
なお、本実施形態に係る放水器具６００においては、ストッパー部材６１０はその一端において上体部５１０に回動可能に取り付けられているものとして構成されているが、ストッパー部材６１０を取り付ける対象は上体部５１０には限定されない。ストッパー部材６１０を保持部５２０に回動自在に取り付けることも可能である。
【符号の説明】
【００７５】
５００  本考案の第一の実施形態に係る放水器具
５１０  上体部
５１１  放水口
５１２  ブリッジ
５１３  第一通水路
５１４  第二通水路
５２０  保持部
５２１  ホース接続部
５２２  突出部
５２３  第三通水路
５３０  オンオフハンドル
５３１  回転中心点
５３２  把手部
５３３  グリップ部
５３４  フック
５５１  ロッド
５５２  開閉部材
５５３  係合部材
５５４  スプリング
６００  本考案の第二の実施形態に係る放水器具
６１０  ストッパー部材
【図１】
0003157313.tif 000003
【図２】
0003157313.tif 000004
【図３】
0003157313.tif 000005
【図４】
0003157313.tif 000006
【図５】
0003157313.tif 000007
【図６】
0003157313.tif 000008
【図７】
0003157313.tif 000009